(57)【要約】【課題】  運転中に生じる異常振動を効果的に防止できる竪型粉砕機の制御方法と、その制御方法に用いるに好適な制御装置を提供する。【解決手段】  粉砕ローラ３を回転テーブル２に押し付ける油圧シリンダ８の緊張油圧を検出して、緊張油圧が、予め設定した設定値より規定値以上小さくなった場合に、回転テーブル２の回転数を減速してから緊張油圧を設定値まで上昇させるとともに、該緊張油圧が設定値まで上昇した後、回転テーブル２の回転数を減速前の速度になるまで増速させる。本発明によれば、一旦、設定値から規定値以上外れた緊張油圧を元の設定値まで回復させる際に発生しやすい竪型粉砕機の異常振動を効果的に防止できる。【選択図】          図１
2008178837.tif 000002
【特許請求の範囲】
【請求項１】
複数個の回転自在な粉砕ローラを備えて回転テーブル上に供給した原料を、回転テーブルと粉砕ローラとの間で粉砕する竪型粉砕機の制御方法において、
粉砕ローラを回転テーブルに押し付ける油圧シリンダの緊張油圧を検出して、該緊張油圧が、予め設定した設定値より規定値以上小さくなった場合に、回転テーブルの回転数を減速してから緊張油圧を設定値まで上昇させ、該緊張油圧が設定値まで上昇した後、回転テーブルの回転数を減速前の速度になるまで増速する竪型粉砕機の制御方法。
【請求項２】
複数個の回転自在な粉砕ローラを備えて回転テーブル上に供給した原料を、回転テーブルと粉砕ローラとの間で粉砕する竪型粉砕機において、
粉砕ローラを回転テーブルに押し付ける油圧シリンダ、該油圧シリンダに緊張油圧を発生させる蓄圧機、該蓄圧機に圧油を供給する油圧ポンプ、及び該緊張油圧を測定する圧力センサを備えて、
該圧力センサにより油圧シリンダの緊張油圧を検出し、該緊張油圧が予め設定した設定値より規定値以上小さくなった場合に、回転テーブルの回転数を減速してから、該油圧ポンプにより蓄圧機の圧油を増圧して該油圧シリンダの緊張油圧を設定値まで上昇させた後、回転テーブルの回転数を減速前の速度になるまで増速する竪型粉砕機。
【発明の詳細な説明】
【技術分野】
【０００１】
本発明は、主に石炭、オイルコークス、石灰石、スラグ、クリンカ、セメント原料、又化学品等を原料として粉砕する竪型粉砕機の制御方法及び制御装置に係り、特に、竪型粉砕機で原料を微粉砕する際に生じやすい異常振動を防止又は抑制するに好適な竪型粉砕機の制御方法及びその制御方法を実施するに適した竪型粉砕機に関する。
【背景技術】
【０００２】
従来から、石炭やオイルコークス等を粉砕する粉砕機として竪型粉砕機（竪型ミル、或いは竪型ローラミルと称されることもある）と呼ばれる粉砕機が広く用いられている。
【０００３】
近年では、特に、竪型粉砕機によって原料を微粉砕するケースも増えてきており、竪型粉砕機内に分級機構を備えた型式の竪型粉砕機が増加している。分級機構を内部に備えた竪型粉砕機としては，特許文献１に開示されるような従来技術が公知である。
【０００４】
【特許文献１】特開平５−１０４０１２号公報
【０００５】
特許文献１に示される竪型粉砕機は、粉砕機の下部から吹き込んだ気流によって、粉砕した原料を搬送し上昇させるとともに、竪型粉砕機内の上部に配した分級機構によって、気流により搬送された原料の中から微粉のみを選抜して、機外に取出すタイプの竪型粉砕機であって、一般的にエアスエプト式と呼ばれる型式の竪型粉砕機である。
【０００６】
以下、特許文献１に開示されたエアスエプト式の竪型粉砕機の構造等について簡略に説明する。特許文献１に開示された竪型粉砕機は、回転テーブルの上方に、分級機構として複数毎の回転羽根を有した回転セパレータを備えており、該回転セパレータの中心軸を上下に貫通するようにして原料投入シュートが配されている。そして、原料投入シュートを介し、原料投入口から回転テーブル上に原料を投入する（供給と称することもある）ことができるよう構成されている。
【０００７】
原料投入シュートによって回転テーブルの上方から、回転テーブル中央部に供給された原料は、回転テーブル上で渦巻き状の軌跡を描きながら、回転テーブルの外周部に向かって移動する。回転テーブルの外周縁部にはダムリングが設けられ、回転テーブル上で所要の原料厚みを保持するように構成されているので、回転テーブルの外周部に移動した原料は、ダムリングでせき止められ、回転テーブルと粉砕ローラに噛み込まれ粉砕される。
【０００８】
なお、回転テーブルと粉砕ローラに噛み込まれて粉砕された原料の一部は、回転テーブルの外縁部に周設されたダムリングを乗り越え、回転テーブル上面の外周部とケーシングとの隙間である環状通路（環状空間部と称することもある）へと向かう。
【０００９】
竪型粉砕機の運転中には、粉砕機下部に設けられたガス導入口より、エキゾーストファン等の送風機により、竪型粉砕機内にガスを導入しており、回転セパレータ部を介して、粉砕機上方に設けた取出口から機外に排出している。その結果、竪型粉砕機のケーシング内で、該回転テーブル下方から回転セパレータ上方に向かうガスの気流が生じている。
従って、該ダムリングを乗り越えて環状通路に達した原料の一部は、前記ガスの気流により吹き上げられて、ケーシング内を上昇する。
【００１０】
ケーシング内において上昇する気流は、回転セパレータの影響を受けて、旋回しながら上昇する気流となっている。そのため、気流により吹き上げられた原料の中で、径が大きく重量の大きな原料は、その重量のためにケーシング下方に落下する、或いは、気流による旋回により原料自身に発生する遠心力によって気流から逸脱してケーシング下方に落下する等し、回転セパレータを通過することができない。回転セパレータを通過できず、落下した原料は、再度粉砕ローラに噛み込まれて粉砕される。なお、径の小さな原料は、羽根の間を抜けて回転セパレータを通過し、上部取出口より取り出される。
【００１１】
環状通路に達した原料の中で特に粒径の大きな原料は、環状通路より回転テーブル下方に落下して下部取出口より竪型粉砕機１の外に取り出された後、バケットエレベータ等の搬送機を介して、型粉砕機の原料投入口から再度投入されて、粉砕される。
【発明の開示】
【発明が解決しようとする課題】
【００１２】
ところで、前記した従来技術は、回転テーブル上の原料層厚を調整することより振動を回避する技術であるが、回転テーブル上の原料層厚が変化しないにもかかわらず、異常振動が発生する場合がある。
【００１３】
特に、油圧ポンプ等の駆動時間を減らして省力化するために、粉砕ローラを回転テーブルに押し付ける油圧シリンダの緊張油圧を、アキュムレータ等の蓄圧機により発生させている場合において、振動が生じやすいという傾向があった。
従来は、油圧シリンダの緊張油圧を圧力センサで常に監視し、ある規定値以上に油圧が低下すると、油圧ポンプを動かして、蓄圧機に圧油を供給して、緊張油圧を元の設定値まで回復させるのであるが、蓄圧機の油圧が設定値から、ある値以上に下がると、異常振動が生じやすいのである。
【００１４】
この原因は明確になっていないが、粉砕ローラの緊張油圧が一旦低下した時点が、自励振動の起点となっており、通常以上の振動が発生しており、その状態から急激に緊張油圧を上昇させていくと、その振動が助長されて大きくなると考えられていた。
そのため、従来は、粉砕ローラの緊張油圧が一旦低下すると、その状態から急激に緊張油圧を上昇させていくことはせず、振動が大きくならないように徐々に緊張油圧を増圧することにより対処していた。
【００１５】
しかし、緊張油圧が設定値まで回復する間は、比較的大きな自励振動が続いており、できるだけ早急に自励振動を解消する竪型粉砕機の制御方法並びに装置が求められていた。
【００１６】
本発明は、以上のような要求に鑑みてなされたものであり、一旦、設定値から規定値以上外れた緊張油圧を元の設定値まで回復させる際に発生しやすい竪型粉砕機の異常振動を効果的に防止するに好適な竪型粉砕機の制御方法及びその制御方法を実施するに適した竪型粉砕機に関する。
【課題を解決するための手段】
【００１７】
上記の目的を達成するため、本発明による竪型粉砕機の制御方法は、
（１）  複数個の回転自在な粉砕ローラを備えて回転テーブル上に供給した原料を、回転テーブルと粉砕ローラとの間で粉砕する竪型粉砕機の制御方法において、粉砕ローラを回転テーブルに押し付ける油圧シリンダの緊張油圧を検出して、該緊張油圧が、予め設定した設定値より規定値以上小さくなった場合に、回転テーブルの回転数を減速してから緊張油圧を設定値まで上昇させ、該緊張油圧が設定値まで上昇した後、回転テーブルの回転数を減速前の速度になるまで増速する。
【００１８】
本発明による竪型粉砕機は、
（２）  複数個の回転自在な粉砕ローラを備えて回転テーブル上に供給した原料を、回転テーブルと粉砕ローラとの間で粉砕する竪型粉砕機において、粉砕ローラを回転テーブルに押し付ける油圧シリンダ、該油圧シリンダに緊張油圧を発生させる蓄圧機、該蓄圧機に圧油を供給する油圧ポンプ、及び該緊張油圧を測定する圧力センサを備えて、該圧力センサにより油圧シリンダの緊張油圧を検出し、該緊張油圧が予め設定した設定値より規定値以上小さくなった場合に、回転テーブルの回転数を減速してから、該油圧ポンプにより蓄圧機の圧油を増圧して該油圧シリンダの緊張油圧を設定値まで上昇させた後、回転テーブルの回転数を減速前の速度になるまで増速する構成とした。
【発明の効果】
【００１９】
本発明によれば、竪型粉砕機において、一旦、設定値から規定値以上外れた粉砕ローラの緊張油圧を元の設定値まで回復させる際に発生しやすい竪型粉砕機の異常振動を効果的に防止できる。
【発明を実施するための最良の形態】
【００２０】
以下、図面に基づき本発明の好ましい実施形態の例について詳細に説明する。
図１は本実施形態に係り竪型粉砕機の概略の構造を説明するための説明図である。図２は本実施形態に係り竪型粉砕機を用いた粉砕システムを概念的に説明する図である。図３は回転テーブルの速度と動摩擦係数の関係を表すグラフ、図４は振動数比と振動増幅係数の関係を表すグラフである。
【００２１】
以下、本発明の実施形態に係る竪型粉砕機１の好ましい構成について説明する。
本実施形態に用いた竪型粉砕機１は、図１に示すように竪型粉砕機１の外郭を形成するケーシング１Ｂ、回転テーブル２、回転テーブル２の上面（回転テーブル上面２Ａと称することもある）外周部を円周方向に等分する位置に配設した複数個のコニカル型の粉砕ローラ３、竪型粉砕機１の下部に設置された減速機２Ｂ、減速機２Ｂを介して回転テーブル２を駆動する可変速式の電動機２Ｍ、及び電動機２Ｍの回転数を制御する制御盤５０、を備えている。
【００２２】
粉砕ローラ３は、軸７により下部ケーシングに回動自在に軸着した上部アーム６と、該上部アーム６と一体に形成した下部アーム６Ａとを介して油圧シリンダ８のピストンロッド９に連結されており、該油圧シリンダ８の作動によって回転テーブル上面２Ａの方向に押圧されて、回転テーブル上面２Ａに原料を介して従動することによって回転する。
【００２３】
前記ケーシング１Ｂの回転テーブル上面２Ａの中央上部には、セパレータ１４と、原料投入口３５が設けられており、また、セパレータ１４の中心軸を上下に貫通するようにして原料投入シュート１３が配されて、原料投入シュート１３を介して原料投入口３５から回転テーブル上面２Ａに原料を投入する（供給と称することもある）ことができるよう構成されている。
また、セパレータ１４は、セパレータ１４の回転軸を中心として上方に拡径する逆円錐台状に一定間隔の隙間をあけて並べられた複数枚の羽根１４Ａを備えて、図示しない駆動装置により自在に回転できる構成となっている。
【００２４】
原料投入シュート１３から投入した原料は、回転テーブル上面２Ａを渦巻き状の軌跡を描きながら回転テーブル上面２Ａの外周部に移動して、回転テーブル上面２Ａと粉砕ローラ３に噛み込まれ粉砕される。そして、回転テーブル上面２Ａと粉砕ローラ３に噛み込まれて粉砕された原料の一部は、回転テーブル上面２Ａの外縁部に周設されたダムリング１５を乗り越え、回転テーブル上面２Ａの外周部とケーシングとの隙間である環状通路３０（環状空間部３０と称することもある）へと向かう。ここで、ケーシング１Ｂの回転テーブル２の下方には、ガスを導入するためのガス導入口３３を設けており、さらに回転テーブル上方には該ガスとともに粉砕した原料を取り出すための上部取出口３９を設けている。
【００２５】
竪型粉砕機１の運転中において、該ガス導入口３３よりガス（本実施形態においては空気）を導入することによって、前記ケーシング１Ｂ内において該回転テーブル下方からセパレータ１４を通過して上部取出口３９へと流れるガスの気流が生じている。
【００２６】
竪型粉砕機１内に投入した原料と、回転テーブル２と粉砕ローラ３に粉砕されてダムリング１５を乗り越えた原料の一部は、前記ガスにより吹き上げられてケーシング内を上昇し、回転セパレータ１４に達する。
ここで、径の大きく重量の大きな原料はセパレータ１４の羽根１４Ａを通過することができずセパレータ１４の下方に落下して再度粉砕ローラ３に噛み込まれて粉砕されるとともに、径の小さな原料は、隙間をあけて並べられた羽根１４Ａの間を抜けてセパレータ１４を通過し、上部取出口３９より取り出される。
【００２７】
また、粉砕ローラ３に噛み込まれずそのまま環状通路に達したような一部の極大な粒径の原料は、環状通路３０より回転テーブル下方に落下して下部取出口３４より竪型粉砕機１の外に取り出される。
【００２８】
なお、本実施形態に用いることのできる竪型粉砕機１の型式は、前述したものに限らないことは勿論であって、例えば、粉砕ローラ３の形状がスフェリカル形状のタイヤ型の竪型粉砕機１であっても良い。また、要求される製品の粒度に応じて、セパレータ１４は固定タイプのものであっても良い。或いはセパレータを備えていないタイプであっても良い。
【００２９】
本実施形態においては、粉砕ローラ３を回転テーブル２に押し付ける油圧シリンダ８、油圧シリンダ８に粉砕ローラ３を回転テーブル２に押し付ける緊張油圧を発生させる蓄圧機としてアキュムレータ６１、アキュムレータ６１に圧油を供給する油圧ポンプ６３、及び、緊張油圧を測定する圧力センサＳ１を備えている。
【００３０】
次ぎに、竪型粉砕機１に備えた制御盤５０について簡略に説明する。
図１に示した実施形態において、制御盤５０は、圧力センサＳ１からの信号が入力されて、該圧力値が設定値より規定値以上小さい場合に、電動機２Ｍに回転数を減速するための信号を発信し、その後、油圧ポンプ３６に運転信号を発信する制御装置５０Ａを備えている。なお、図１に示す実施形態において、電動機２Ｍは、可変速式であり、減速機２Ｂを介して回転テーブル２に連結されている。従って、電動機２Ｍは、制御盤５０の制御装置５０Ａよりから送信される信号によって、その回転速度を自在に変化させて、回転テーブル２の回転速度を自在に変化させることができる。
【００３１】
次に本実施形態に係る粉砕システムの好ましい１例ついて図２を参考に説明する。
図２に示した粉砕システムは、竪型粉砕機１、原料ホッパ２０、バケットエレベータ２５、原料ホッパ２１、エキゾーストファン８９等を備えている。
原料ホッパ２０に蓄えられた原料は、バケットエレベータ２５並びに原料ホッパ２１等を介して竪型粉砕機１に投入されて粉砕される。竪型粉砕機１内で粉砕された原料は、エキゾーストファン８９によるガスの気流により、竪型粉砕機１内を上方に移動して製品取出口３９から機外に取り出される。また、竪型粉砕機１の中に投入された原料の中で、製品取出口３９から機外に取り出されなかった一部の原料については、下部取出口３４から機外に取り出されて、バケットエレベータ２５並びに原料ホッパ２１等を介して竪型粉砕機１に再度投入されて粉砕される。
【００３２】
以下、本発明による竪型粉砕機１の制御方法について、従来技術と異なる部分を中心として、第１の実施形態を説明する。
原料投入シュート１３によって、回転テーブル中央部に供給された原料は、回転テーブル２の外周部に向かって移動し、回転テーブル２と粉砕ローラ３に噛み込まれ粉砕される。回転テーブル２と粉砕ローラ３に噛み込まれて粉砕された原料の一部は、回転テーブルの外縁部に周設されたダムリング１５を乗り越え、回転テーブル２Ａ上面の外周部とケーシング１Ｂとの隙間である環状通路３０へと向かう。
【００３３】
竪型粉砕機１の運転中には、粉砕機下部に設けられたガス導入口３３より、エキゾーストファン８９によって、機内にガスを導入しており、回転セパレータ部を介して、粉砕機上方に設けた取出口から機外に排出している。その結果、竪型粉砕機１のケーシング１Ｂ内で、回転テーブル２下方から回転セパレータ１４上方に向かうガスの気流が生じている。従って、ダムリング１５を乗り越えて環状通路３０に達した原料の一部は、前記ガスの気流により吹き上げられて、ケーシング１Ｂ内を上昇する。
【００３４】
ケーシング１Ｂ内において上昇する気流は、回転セパレータ１４の影響を受けて、旋回しながら上昇する気流となっている。そのため、気流により吹き上げられた原料の中で、径が大きく重量の大きな原料は、その重量のためにケーシング１Ｂ下方に落下する、或いは、気流による旋回により原料自身に発生する遠心力によって気流から逸脱してケーシング１Ｂ下方に落下する等し、回転セパレータ１４を通過することができない。
【００３５】
回転セパレータ１４を通過できず、落下した原料は、竪型粉砕機内で循環して、再度、粉砕ローラ３に噛み込まれて粉砕される。或いは、環状通路より回転テーブル下方に落下して下部取出口より竪型粉砕機１の外に取り出された後、バケットエレベータ等の搬送機を介して、型粉砕機の原料投入口から再度投入されて、粉砕される。なお、径の小さな原料は、羽根の間を抜けて回転セパレータを通過し、上部取出口より取り出される。
【００３６】
以下、竪型粉砕機１の制御方法について説明する。
まず、本発明による竪型粉砕機の第１実施形態においては、制御運転前に油圧シリンダ８にかける緊張油圧について、その設定値と、規定値を制御盤５０に入力して設定する。
なお、この場合の規定値とは、緊張油圧の下限値を調整するものであり、緊張油圧の測定値が、設定値より規定値以上下がった際において、緊張油圧を回復させるための準備動作に入るためのトリガーになる値である。
緊張油圧を回復させるための工程は、後述するが、振動防止の点からみると規定値は小さい方が良く、少しでも低下すれば、油圧ポンプ６３を駆動して圧油を供給し、油圧シリンダ８の緊張油圧の低下を防止した方が良い。
しかし、省エネルギーの観点からみると、規定値は大きめの方が良く、ある程度の大きさまで緊張油圧が下がるのを待って油圧ポンプ６３を駆動した方が、油圧ポンプの駆動回数、時間を減らすことができる。規定値は、前述のファクターを勘案して、適宜、規定値を決定すれば良い。
【００３７】
次ぎに、竪型粉砕機１の制御運転中においては、圧力センサＳ１により油圧シリンダ８の緊張油圧を常に検出する。
圧力センサＳ１で検出された緊張油圧の圧力値は、制御盤５０に送信されて、制御装置５０Ａの中で、予め設定した設定値と比較される。
比較の結果、測定値が、設定値より規定値以上小さくなっていた場合に、制御装置５０Ａは、電動機２Ｍに回転数減少の信号を発信し、電動機２Ｍは、その信号を受けて回転数を低下させるので、回転テーブル２の回転速度は減速する。
制御装置５０Ａは、次ぎに、油圧ポンプ３６に駆動信号を送信し、信号を受けた油圧ポンプ３６は、圧油をアキュムレータ６１に供給する。
圧油の供給を受けたアキュムレータ６１は増圧して、油圧シリンダ８の緊張油圧を上昇させる。そして、緊張油圧が設定値まで上昇したことを圧力センサＳ１が検出した時点で、制御装置５０は、油圧ポンプ３６の駆動を停止させ、次ぎに、電動機２Ｍに回転数増加の信号を発信し、回転テーブル２の回転数を減速前の速度になるまで増速する。
【００３８】
ここで、図３に回転テーブルの回転速度と動摩擦係数（粉砕ローラと原料との間の動摩擦係数）の関係を示すが、回転速度が低下すると、粉砕ローラ３と原料の間の摩擦係数が上昇し、粉砕部ですべりなどが生じにくくなる。
【００３９】
また、粉砕力（加振力）を増加すれば竪型粉砕機振動の原因となるが、竪型粉砕機に発生する振動は摩擦係数の他に下記のように考えることもできる。
【００４０】
2008178837.tif 000003
【００４１】
なお、加振力をバネ定数で割ったものを変位量（Ａ）とする。
【００４２】
つまり、振動増幅係数は図４に示したように加振振動数（ω）と粉砕層の振動数（ω０）の比率により変化することが分かる。
通常は、図４においてω／ω０が１．０以下（＝共振点以下）で運転されているので、粉砕層の振動数（ω０）を変えずに（製品の粒度に比例し同粒度は変更できないため）加振振動数（ω）を低下させることにより振動増幅係数を低下させることができる。
【００４３】
加振振動数（ω）は粉砕ローラの回転数に比例するため同調するテーブル回転数を変更することにより加振振動数を低減できる。この結果、分母、分子ω/ω０の内分子を低下させれば振動増幅係数は減少するので、竪型粉砕機振動が抑制できる。
【００４４】
以上、説明したように、振動を抑制または抑止する方法として、摩擦係数の確保法と加振振動数の制御法がある。この２方法に共通するものは、回転テーブル２の回転数であり、原料性状に合わせて都度適正な回転数に設定することにより竪型粉砕機の能力を最大限に引き出すことができる。
【００４５】
従って、竪型粉砕機の緊張油圧が設定値から外れ規定値以上小さくなる場合において、テーブル回転数を低下させた後に、緊張油圧を増加させて、例え、加振力を増加しても竪型粉砕機振動を発生させる前に振動要因を排除することができる。
言い換えると、回転テーブル２の回転速度を低下させた状態であれば、緊張油圧を急激に上昇させても異常振動が生じくい。そのため、緊張油圧が下がった状態から速やかに、緊張油圧を回復させることができる。
【図面の簡単な説明】
【００４６】
【図１】本発明に係る竪型粉砕機の実施形態を示す要部縦断面図である。
【図２】本実施形態に係る竪型粉砕機を用いた粉砕システムを概念的に説明する図である。
【図３】回転テーブルの速度と動摩擦係数の関係を表すグラフである。
【図４】振動数比と振動増幅係数の関係を表すグラフである。
【符号の説明】
【００４７】
１      竪型粉砕機
２      回転テーブル
３      粉砕ローラ
１３    原料投入シュート
１４    回転セパレータ
１５    ダムリング
１Ｂ    ケーシング
２０    原料ホッパ（新規原料供給用）
２１    原料ホッパ
２５    バケットエレベータ
３０    環状通路
３３    ガス導入口
８９    エキゾーストファン（送風機）
３４    下部取出口
３５    原料投入口
３９    製品取出口（上部取出口）
５０    制御盤
５０Ａ  制御装置
Ｓ１    圧力センサ
６１    アキュムレータ（蓄圧機）
６３    油圧ポンプ
６５    油タンク
【図１】
2008178837.tif 000004
【図２】
2008178837.tif 000005
【図３】
2008178837.tif 000006
【図４】
2008178837.tif 000007